(57)【要約】      （修正有）【課題】構造が簡単で、使用が便利で、背もたれ角度を調節できる安楽ロッキングチェアを提供する。【解決手段】安楽ロッキングチェアは、座面１、背もたれ２、固定基台３、揺動台座４及び揺動機構５を含み、固定基台３の上部に横材３１を備える。揺動機構５は前方ロッキングロッド５１、後方ロッキングロッド５２、及び、連結棒５３を含む。前方ロッキングロッド５１および後方ロッキングロッド５２と横材３１及び連結棒５３とが枢着し、連結棒５３にはホルダー５４が固設され、揺動台座４はホルダー５４に固装される。固定基台３には定位板３２が設置され、定位板３２に定位孔を形成する。揺動機構５には調整座部が設けられ、調整座部には調整回転棒が貫設され、調整回転棒のヘッド部に制御用肘掛けを設ける。これにより、利用者のニーズに応じて背もたれの角度を簡単に調節できる。【選択図】図１
0003165162.tif 000002
【実用新案登録請求の範囲】
【請求項１】
安楽ロッキングチェアであって、
座面、背もたれ、固定基台、揺動台座、及び揺動機構を含み、前記背もたれと前記座面とが枢着することで角度調節可能な構造を形成し、
前記固定基台の上部には、前後方向に沿って設置される横材を備え、
前記揺動機構には、前方ロッキングロッド、後方ロッキングロッド、及び連結棒を含み、前記前方ロッキングロッドおよび前記後方ロッキングロッドの上部は、それぞれ前記横材の前後端部に枢着され、前記前方ロッキングロッドおよび前記後方ロッキングロッドの下部は、それぞれ前記連結棒の両端に枢着され、前記連結棒の上方にはホルダーが固設され、前記揺動台座は前記ホルダーに固装され、
前記固定基台の側方には、定位板が設置され、前記定位板には、前記揺動機構の揺動方向に沿って複数の定位孔が配列され、
前記揺動機構上の前記定位板と隣接する位置に調整座部が設置され、前記調整座部には、テール部が前記定位孔に挿入して前記揺動機構を係止固定できる調整回転棒が貫設され、前記調整回転棒のヘッド部には、制御用肘掛けを設けることを特徴とする安楽ロッキングチェア。
【請求項２】
前記調整座部には、斜面を持つ貫通孔部が設置され、前記調整回転棒が前記貫通孔部の貫通孔内に貫設され、前記調整回転棒に、前記貫通孔部の前記斜面と整合し前記調整回転棒の周方向回転を軸方向の運動に転化するための斜面回転部が設けられることを特徴とする請求項１に記載の安楽ロッキングチェア。
【請求項３】
前記斜面回転部を前記調整回転棒の外側に設け、前記貫通孔部の前記斜面、及び前記斜面回転部は、前記貫通孔の外側に位置し、前記貫通孔部の内側においては、前記調整回転棒に位置制限片が設置され、前記位置制限片と前記調整座部との間にバネを係着することを特徴とする請求項２に記載の安楽ロッキングチェア。
【請求項４】
前記斜面回転部の側面に前記調整回転棒を押し付ける押し付けボルトを貫設することを特徴とする請求項３に記載の安楽ロッキングチェア。
【請求項５】
前記制御用肘掛けは、前記調整回転棒の端部に垂直に固定されるハンドルであることを特徴とする請求項２に記載の安楽ロッキングチェア。
【請求項６】
前記制御用肘掛けは、前記揺動台座下部の外側に位置することを特徴とする請求項５に記載の安楽ロッキングチェア。
【請求項７】
前記前方ロッキングロッド、前記後方ロッキングロッド、及び、前記連結棒は、それぞれ２組が前記横材の両側に対称に設置され、対称構造を形成することを特徴とする請求項１に記載の安楽ロッキングチェア。
【請求項８】
前記座面の両側に案内棒が設けられ、両側の前記揺動台座の内側には、それぞれ前記案内棒に嵌まる案内筒部が固設され、一方の側の前記案内棒には、スライドロッドが枢着され、前記揺動台座には、前記スライドロッドを嵌設する案内座部が設置され、前記案内座部には、前記スライドロッドをクランプ又はアンクランプ可能な開閉コンポーネントと開閉制御レバーとが取り付けられ、前記背もたれは、前記揺動台座に枢着されることを特徴とする請求項１に記載の安楽ロッキングチェア。
【請求項９】
前記開閉コンポーネントは、筐体、作動ロッド、２つの圧縮材、２つのバネを備え、
前記筐体は、前記揺動台座と固着し、ハウジング、筐体挿通孔、２つの接合溝、軸孔を備え、
前記筐体挿通孔に前記スライドロッドを挿通し、前記作動ロッドは、前記軸孔に垂直に構設され、前記筐体に対応して回転し、
前記作動ロッドの一端には、前記開閉制御レバーと連動して構設する接合部を有し、外周縁の互いに異なる角度の位置には当接部を設置し、
前記２つの圧縮材は、片状体で、前記ハウジング内に設けられ、底部が前記２つの接合溝内に嵌入され、
前記作動ロッドは、前記２つの圧縮材の間に設置され、
前記２つの圧縮材には、孔径が前記スライドロッドの直径より略大きく前記スライドロッドを挿通可能な圧縮材挿通孔が設けられ、被当接部において前記作動ロッドに当接され、
前記２つのバネは、両端がそれぞれ前記ハウジングの内壁、及び、前記２つの圧縮材に当接し、
前記開閉制御レバーを通じて前記作動ロッドを回転させると共に、前記作動ロッドの前記当接部と前記２つの圧縮材の前記被当接部との当接または非当接を調整することで、前記２つの圧縮材の前記圧縮材挿通孔の孔壁と前記スライドロッドとの係合または非係合を制御することを特徴とする請求項８に記載の安楽ロッキングチェア。
【考案の詳細な説明】
【技術分野】
【０００１】
本考案は、安楽ロッキングチェアに関する。
【背景技術】
【０００２】
従来、安楽椅子は住まいの休息において常に備わっている家具で、座っている人が心地よく休息して、リラックス感が得られ、疲労も回復できる。そのほかに、安楽機能を増進させるため、背もたれを角度調節可能な構造として良くデザインし、座る人は自分の好みによって背もたれの傾斜角度を調節でき、そして固定構造を通じて背もたれの位置を固定させ、座った時背中がしっかりとホールドされる。
【０００３】
現在市販の背もたれ角度を調節できる安楽椅子の固定構造は、大半がボルト或いはノブの緩めおよび締付け方法とされ、まずボルト或いはノブを回して背もたれを緩めてから角度調節し、且つ調整したい位置にした後、ボルト或いはノブを締付けて背もたれを固定する必要があり、操作上手間がかかる。また、背もたれ調節機能のみを備える安楽椅子の機能が少なく、安楽効果が不足するため、優雅な雰囲気や癒しの空間を作り上げてあげることが困難であった。
【０００４】
そのほか、市販のロッキングチェア機能を備えた安楽椅子があるが、底部に座面を支持する枢転可能な連結棒を有し、連結棒の往復揺動を通じて揺り機能を実現する。人が揺られたくない時、連結棒を係止しなければならない。現在よく使用されている構造は、自転車のブレーキに類似したキャリパーブレーキであり、キャリパーブレーキは、通常人の手で容易に接触する部位に設置される制御端を有し、手を介して制御端を操作し、キャリパーブレーキ中の鋼線を通じて連結棒とマッチする押し付け制動部を制御し、押し付け制動部を連結棒に対してロック或いはアンロックすることで、連結棒の回転に対する制御を実現することができる。
【考案の概要】
【考案が解決しようとする課題】
【０００５】
しかしながら、キャリパーブレーキは、設置に手間がかかり、構造が簡単ではなく、手で制御する時比較的大きな力で引っ張らなければならないため、使用が不便で、且つ容易に某部品の張りすぎ、締付けが足りないことにより連結棒をロックできなくなる、若しくは連結棒のデッドロックを緩めることができない状態に陥ってしまう。
【０００６】
上記問題を解決するため、本考案は、構造が簡単且つ合理的で、使用が便利で信頼もでき、背もたれ角度を調節できる安楽ロッキングチェアを提供することを目的とする。
【課題を解決するための手段】
【０００７】
上記目的を達成するため、本考案による安楽ロッキングチェアは、座面、背もたれ及び固定基台を含み、背もたれと座面とが枢着することで角度調節可能な構造を形成する。本考案による安楽ロッキングチェアは、更に揺動台座及び揺動機構を含む。
【０００８】
固定基台の上部に前後に沿って設置される横材を備え、揺動機構には、前方ロッキングロッド、後方ロッキングロッド及び連結棒を含み、前方ロッキングロッドと後方ロッキングロッドとの上部がそれぞれ横材の前後端部と枢着し、下部がそれぞれ連結棒の両端と枢着する。連結棒の上方にホルダーが固設され、揺動台座はホルダーに固装される。
【０００９】
固定基台に側方には定位板が設置され、定位板に揺動機構の揺動方向に沿って若干の定位孔を配列し、揺動機構上の定位板と隣接する位置に調整座部が設置され、調整座部には、テール部が定位孔に挿入して揺動機構を係止固定できる調整回転棒が貫設され、調整回転棒のヘッド部に制御用肘掛けを設ける。
【００１０】
本考案による安楽ロッキングチェアは、更に調整座部に斜面を持つ貫通孔部が設置され、調整回転棒が貫通孔部内に貫設され、調整回転棒に貫通孔部の斜面とマッチし、調整回転棒の周方向回転を軸方向の運動に転化するための斜面回転部が設けられ、これをもって調整回転棒を回転させて安楽ロッキングチェアの揺りの有無を制御する。
【００１１】
本考案による安楽ロッキングチェアは、更に座面の両側に案内棒が設けられ、揺動台座の内側にそれぞれ案内棒の上に嵌める案内筒部が固設される。一方の側の案内棒にスライドロッドが枢着され、揺動台座にスライドロッドを嵌設する案内座部が設置され、案内座部にスライドロッドをクランプ又はアンクランプする開閉コンポーネント及び開閉制御レバーを取り付ける。背もたれは揺動台座に枢着され、開閉制御レバーを回すことで背もたれ角度の調節及び固定を簡単に実現することができる。
【考案の効果】
【００１２】
本考案による安楽ロッキングチェアは、構造が簡単且つ合理的で、故障し難く、背もたれ角度の便利な調節を実現することができるだけではなく、ロッキングチェア機能を持ち、利用者自身のニーズに応じて自由に背もたれの角度を調節することができ、某角度で揺ることもでき、並びに簡単に固定することができ、手間が掛からず、便利に調節及び固定することができ、使用上の支障がないため。
【図面の簡単な説明】
【００１３】
【図１】本考案の一実施形態による安楽ロッキングチェアの側面図である。
【図２】本考案の一実施形態による安楽ロッキングチェアの正面図である。
【図３】本考案の一実施形態による安楽ロッキングチェアの揺動機構及び固定基台の構造を示す図である。
【図４】本考案の一実施形態による安楽ロッキングチェアの前方に向かって揺動した構造を示す図である。
【図５】本考案の一実施形態による安楽ロッキングチェアの後方に向かって揺動した構造を示す図である。
【図６】本考案の一実施形態による安楽ロッキングチェアの定位板の構造を示す図である。
【図７】本考案の一実施形態による安楽ロッキングチェアの調整座部の一部の分解斜視図である。
【図８】図７の斜視図である。
【図９】本考案の一実施形態による安楽ロッキングチェアの揺動機構をロックした際の状態図である。
【図１０】本考案の一実施形態による安楽ロッキングチェアの揺動機構をアンロックした際の構造を示す図である。
【図１１】本考案の一実施形態による安楽ロッキングチェアの案内座部の一部の構造分解図である。
【図１２】本考案の一実施形態による安楽ロッキングチェアの案内座部においてスライドロッドがロックされた際の構造を示す図である。
【図１３】本考案の一実施形態による安楽ロッキングチェアの案内座部においてスライドロッドがアンロックされた際の構造を示す図である。
【図１４】図１に対応する背もたれ角度調節後の構造を示す図である。
【考案を実施するための形態】
【００１４】
（一実施形態）
図１、２に示すように、本考案による安楽ロッキングチェアは、座面１、背もたれ２、固定基台３、揺動台座４及び揺動機構５を有し、固定基台３は安楽ロッキングチェア全体のベースで、背もたれ２と座面１とが枢着することにより角度調節可能な構造が形成され、背もたれ２及び座面１はいずれも揺動台座４に取り付けられ、揺動台座４が揺動機構５に対応して揺れることによりロッキングチェア機能を実現する。
【００１５】
固定基台３の支柱３０は、上部が前後方向に沿って設置される横材３１を有し、バランスをとる。図３に示すように、揺動機構５は、前方ロッキングロッド５１、後方ロッキングロッド５２、及び連結棒５３を備え、前方ロッキングロッド５１は、上部が横材３１の前端部と枢着し、後方ロッキングロッド５２は、上部が横材３１の後端部と枢着し、前方ロッキングロッド５１と後方ロッキングロッド５２との下部は、それぞれ連結棒５３の両端と枢着し、連結棒機構を形成する。連結棒機構は、横材３１を固定部とし、前方ロッキングロッド５１、後方ロッキングロッド５２が相互枢着を介して一定の角度で前後回転し、前方ロッキングロッド５１と後方ロッキングロッド５２との間に位置する連結棒５３はこれで前後揺動できる。前方ロッキングロッド５１、後方ロッキングロッド５２及び連結棒５３を２組として設計し、横材３１の両側に対称設置させることで、一体形対称構造を形成することで、前方ロッキングロッド５１、後方ロッキングロッド５２と横材３１との枢着軸を設計することが便利である。
【００１６】
連結棒５３の中央上方にホルダー５４が固設され、揺動台座４はホルダー５４に固装される。これにより、連結棒５３が前後揺動する時、揺動台座４も前後揺動し、その揺動方式は図４及び図５を参照する。
【００１７】
図６乃至図９に示すように、固定基台３に定位板３２が設置され、定位板３２に揺動機構５の揺動方向に沿って若干の定位孔３２１を配列設置する。揺動機構５のホルダー５４上の定位板３２と隣接する位置に調整座部５５が設けられ、調整座部５５に調整回転棒５６が貫設され、調整回転棒５６は、テール部が定位孔３２１に挿入して揺動機構５を係止固定し、ヘッド部には制御用肘掛け５６１を設け、制御用肘掛け５６１の制御を通じて、調整回転棒５６に対する制御を実現する。また、調整回転棒５６のテール部が定位孔３２１内に係入し、調整座部５５と定位板３２との間の相対固定を形成し、調整座部５５が揺動機構５に固定され、定位板３２が固定基台３に固定される。これにより、揺動機構５と固定基台３とが相互運動できないため、揺動動作のデッドロックを形成し、揺動動作の制御を実現することができる。そのロック状態の構造は図９の示す通りとである。
【００１８】
調整回転棒５６を定位孔３２１に係入することを採用するデッドロック方法は、構造が簡単また合理的で、誤操作するおそれがない。図７乃至図９に示すように、調整回転棒５６を定位孔３２１に係入する運動方式を実現するため、本考案は好ましい構造を採用し、調整座部５５に斜面を持つ貫通孔部５５１が設けられ、調整回転棒５６を貫通孔部５５１内に貫設し、調整回転棒５６に斜面回転部５６２が設置され、斜面回転部５６２は、貫通孔部５５１の斜面とマッチし、調整回転棒５６の周方向回転を軸方向運動に転化する。
【００１９】
斜面回転部５６２に孔が設けられ、調整回転棒５６が孔を貫通し、斜面回転部５６２を調整回転棒５６の外側に設け、斜面回転部５６２の外壁に孔が設けられ、押し付けボルト５６５を取り付けることができる。押し付けボルト５６５の締め付けを通じて、調整回転棒５６を斜面回転部５６２に押し付けて固定できる。
【００２０】
貫通孔部５５１の斜面及びマッチする斜面回転部５６２は、貫通孔部５５１の外側に位置し、貫通孔部５５１の内側において、調整回転棒５６に位置制限片５６３は設置され、位置制限片５６３と調整座部５５との間にバネ５６４を係着し、位置制限片５６３及びバネ５６４は、調整回転棒５６を調整座部５５に固定し、調整回転棒５６の端部が貫通孔部５５１内から抜け出すことができず、バネ５６４は、調整回転棒５６の端部を定位孔３２１に嵌め込む補助動作弾力を提供できる。
【００２１】
上記の構造を採用すると、制御用肘掛け５６１は、調整回転棒５６の端部に固定されるハンドルとして設置されることができる。調整回転棒５６を比較的長いものとして設計し、制御用肘掛け５６１を揺動台座４の下部外側に位置させる。これにより、手で握りしやすく、利用者が比較的小さな力で揺動の制御を実現することができる。
【００２２】
図１０に示すように、レバー５６１を１８０度回転させ、回転部５６２を対応的に回転させて斜面から突出させて調整座部５５の突出斜面と当接させ、回転棒５６を回転変位させて定位孔３２１から離れると、揺動台座４が揺動できるようになる。
【００２３】
背もたれ２と揺動台座４とが枢着し、座面１の両側に案内棒１１が設けられ、揺動台座４の内側には、それぞれ当該側の案内棒１１に嵌まる案内筒部４１が固設され、受けた力を均一化させることができる。一側の案内棒１１には、スライドロッド４２が枢着され、スライドロッド４２は、案内棒１１と平行するように設置される。揺動台座４には、スライドロッド４２を嵌設する案内座部４３が固設され、案内座部４３には、スライドロッド４２をクランプ又はアンクランプできる開閉コンポーネント及び開閉制御レバー４３１が取り付けられ、開閉制御レバー４３１の制御を通じて、スライドロッド４２をクランプ又はアンクランプできる。揺動台座４の両側を肘掛けとして設計し、安楽ロッキングチェア両側の肘掛け機能を実現することができる。
【００２４】
図１１乃至図１４に示すように、案内座部４３は開閉制御レバー４３１を含み、開閉コンポーネントは、筐体４３２、作動ロッド４３３、２つの圧縮材４３４、２つのバネ４３５を備える。筐体４３２は揺動台座４と固着し、ハウジング４３２１、筐体挿通孔４３２２、２つの接合溝４３２３、軸孔４３２４を備える。筐体挿通孔４３２２にスライドロッド４２を挿通し、作動ロッド４３３は、軸孔４３２４に垂直に構設され、筐体４３２に対応して回転できる。作動ロッド４３３の一端には、開閉制御レバー４３１と連動して構設する接合部４３３１を有し、多端に当接部４３３２を設置する。２つの圧縮材４３４は、高硬度の片状体で、ハウジング４３２１内に設けられ、底部が接合溝４３２３内に嵌入され、作動ロッド４３３は２つの圧縮材４３４の間に設置される。孔径がスライドロッド４２の直径より略大きくスライドロッド４２を挿通する圧縮材挿通孔４３４１が設けられ、作動ロッド４３３に対応する位置に被当接部４３４２が設置される。２つのバネ４３５は、スライドロッド４２を挿通し、ハウジング４３２１内に設けられ、両端は、それぞれハウジング４３２１の内壁及び圧縮材４３４と当接する。
【００２５】
図１２に示すように、本考案によるロッキングチェアはロック状態にある時、開閉制御レバー４３１を通じて作動ロッド４３３を回転させると共に、当接部４３３２を２つの圧縮材４３４の被当接部４３４２に当接させることなく、２つの圧縮材４３４がバネ４３５の弾力を介して圧縮材挿通孔４３４１の孔壁とスライドロッド４２を係合させることができ、スライドロッド４２を案内座部４３に対応して移動できなくなり、ロック状態となる。
【００２６】
図１３に示すように、本考案によるロッキングチェアはアンロック状態にある時、開閉制御レバー４３１を通じて作動ロッド４３３を回転させると共に、当接部４３３２を２つの圧縮材４３４の被当接部４３４２に当接させ、２つの圧縮材４３４が移動可能な状態になると共に、圧縮材挿通孔４３４１の孔壁とスライドロッド４２を係合させないことにより、スライドロッド４２を案内座部４３に対応して移動でき、背もたれ２の角度を調節できる。調整後の状態は図１４に示す通りである。
【００２７】
以上の述べにより、本考案によるロッキングチェアは、揺動動作及びロック、安定効果を有する。前述の実施形態は本考案を説明するためであって、本考案は前述の実施形態に限定されることなく、本考案の精神を逸脱しない範囲内において種々の改良変更をなし得ることは、本考案の実用新案登録請求の範囲内に含めるものであるのが勿論である。
【符号の説明】
【００２８】
１      ・・・座面
１１    ・・・案内棒
２      ・・・背もたれ
３      ・・・固定基台
３０    ・・・支柱
３１    ・・・横材
３２    ・・・定位板
３２１  ・・・定位孔
４      ・・・揺動台座
４１    ・・・案内筒部
４２    ・・・スライドロッド
４３    ・・・案内座部
４３１  ・・・開閉制御レバー
４３２  ・・・筐体
４３２１・・・ハウジング
４３２２・・・筐体挿通孔
４３２３・・・接合溝
４３２４・・・軸孔
４３３  ・・・作動ロッド
４３３１・・・接合部
４３３２・・・当接部
４３４  ・・・圧縮材
４３４１・・・圧縮材挿通孔
４３４２・・・被当接部
４３５  ・・・バネ
５      ・・・揺動機構
５１    ・・・前方ロッキングロッド
５２    ・・・後方ロッキングロッド
５３    ・・・連結棒
５４    ・・・ホルダー
５５    ・・・調整座部
５５１  ・・・貫通孔部
５６    ・・・調整回転棒
５６１  ・・・制御用肘掛け
５６２  ・・・斜面回転部
５６５  ・・・押し付けボルト
５６３  ・・・位置制限片
５６４  ・・・バネ
【図１】
0003165162.tif 000003
【図２】
0003165162.tif 000004
【図３】
0003165162.tif 000005
【図４】
0003165162.tif 000006
【図５】
0003165162.tif 000007
【図６】
0003165162.tif 000008
【図７】
0003165162.tif 000009
【図８】
0003165162.tif 000010
【図９】
0003165162.tif 000011
【図１０】
0003165162.tif 000012
【図１１】
0003165162.tif 000013
【図１２】
0003165162.tif 000014
【図１３】
0003165162.tif 000015
【図１４】
0003165162.tif 000016